(57)【要約】【課題】ソフトウェアをバージョンアップするときにナビゲーションの動作が中断される時間を低減させ、かつ、使い勝手を良くすること。【解決手段】第１記録装置１２に記録される第１ナビ用ソフトウェア３１を実行する第１実行部４１と、第２記録装置１３に挿入される記録媒体１９に記録される第２ナビ用ソフトウェアを実行する第２実行部４２と、第１記録装置１２に第２ナビ用ソフトウェアを記録するインストール部４３と、第２ナビ用ソフトウェアを形成する複数の単位ソフトウェアを第１ナビ用ソフトウェア３１に含まれない新規単位ソフトウェアまたは第１ナビ用ソフトウェア３１に含まれる旧単位ソフトウェアに判別する判別部４４と、表示部４５とを備えている。表示部４５は、第１実行部４１により第１記録装置１２に記録された第２ナビ用ソフトウェアを実行するときに、新規単位ソフトウェアに基づく新規情報を新規表示形式で表示装置に表示し、旧単位ソフトウェアに基づく旧情報を新規表示形式と異なる旧表示形式で表示装置に表示する。【選択図】図３
2004150866.tif 000002
【特許請求の範囲】
【請求項１】
自動車に搭載され、前記自動車を目的地まで誘導するときに利用されるナビゲーション装置であり、
第１記録装置に記録される第１ナビ用ソフトウェアを実行する第１実行部と、
第２記録装置に挿入される記録媒体に記録される第２ナビ用ソフトウェアを実行する第２実行部と、
前記第１記録装置に前記第２ナビ用ソフトウェアを記録するインストール部と、
前記第２ナビ用ソフトウェアを形成する複数の単位ソフトウェアを前記第１ナビ用ソフトウェアに含まれない新規単位ソフトウェアまたは前記第１ナビ用ソフトウェアに含まれる旧単位ソフトウェアに判別する判別部と、
前記第１実行部により前記第１記録装置に記録された前記第２ナビ用ソフトウェアを実行するときに、前記新規単位ソフトウェアに基づく新規情報を新規表示形式で表示装置に表示し、前記旧単位ソフトウェアに基づく旧情報を前記新規表示形式と異なる旧表示形式で前記表示装置に表示する表示部
とを具備するナビゲーション装置。
【請求項２】
請求項１において、
前記第１ナビ用ソフトウェアは、前記新規単位ソフトウェアに対応する対応単位ソフトウェアを含み、
前記対応ナビ用ソフトウェアの作成日時は、前記旧単位ソフトウェアの作成日時より後である
ことを特徴とするナビゲーション装置。
【請求項３】
請求項２において、
前記新規単位ソフトウェアは、新規に建設された道路の位置を示すデータを含む
ことを特徴とするナビゲーション装置。
【請求項４】
請求項２において、
前記新規単位ソフトウェアは、前記目的地まで誘導するときに利用されるときの当該ナビゲーション装置の動作を示すコンピュータプログラムを含む
ことを特徴とするナビゲーション装置。
【請求項５】
請求項４において、
前記第１記録装置は、前記新規単位ソフトウェアに対応する複数の説明情報を更に記録し、
前記表示部は、前記新規情報を前記説明情報とともに前記表示装置に表示する
ことを特徴とするナビゲーション装置。
【請求項６】
請求項１〜請求項５のいずれかにおいて、
前記インストール部は、前記第２実行部と並行して動作する
ことを特徴とするナビゲーション装置。
【発明の詳細な説明】
【０００１】
【発明の属する技術分野】
本発明は、ナビゲーション装置に関し、特に、自動車に搭載され、その自動車を目的地まで誘導するときに利用されるナビゲーション装置に関する。
【０００２】
【従来の技術】
ハードディスクを用いて動作するナビゲーション装置が知られている。そのナビゲーション装置は、ハードディスクに記録されているナビプログラムと地図データとを用いて自動車を目的地まで誘導する。そのナビゲーション装置は、バージョンアップを行うにあたっては、ハードディスクが本体からはずされて、新しいナビプログラムと新しい地図データとを記録されたハードディスクが本体に取り付けられて、バージョンアップされる。このようなナビゲーション装置にあっては、そのハードディスクが交換作業により取りはずされているときに、ナビゲーション装置を使用することができないために、自動車を目的地まで誘導することができない。また、ユーザは、ハードディスクの交換にあたってディーラなどへ自動車を持ち込む必要が生じることになる。このようなことから、ナビゲーション装置を使用することができないことによる自動車を誘導することができない期間が短いナビゲーション装置のバージョンアップ技術が望まれている。
【０００３】
また、ＤＶＤ−ＲＯＭを用いて動作するナビゲーション装置が知られている。そのナビゲーション装置は、ＤＶＤ−ＲＯＭに記録されているナビプログラムと地図データとを用いて自動車を目的地まで誘導する。そのナビゲーション装置は、そのＤＶＤ−ＲＯＭが新しいナビプログラムまたは新しい地図データを記録しているＤＶＤ−ＲＯＭに交換されて、バージョンアップされる。このようなナビゲーション装置は、バージョンアップされるときに、ハードディスクを用いて動作するナビゲーション装置より動作することができない期間が短い。しかしながら、ＤＶＤ−ＲＯＭは、一般的に、ハードディスクよりデータを読み出す速さが遅い。ナビゲーション装置は、ハードディスクを用いて動作することが望まれ、動作が速いことが望まれている。
【０００４】
ハードディスクとＤＶＤ−ＲＯＭドライブとの両方を備えているナビゲーションシステムが特開２００１−１３３２７３号公報と特開２００１−１６５６７１号公報とに開示されている。そのナビゲーションシステムは、ＤＶＤ−ＲＯＭに記録されている地図データをハードディスクにコピーして、ハードディスクに記録されている地図データを用いて自動車を目的地まで誘導している。このようなナビゲーション装置は、誘導している途中に、誘導以外に用いられるＤＶＤ−ＲＯＭを利用することができる。
【０００５】
特開２０００−２５１３９６号公報は、より確実にハードディスクに情報を書き込むことができる車載情報処理装置を開示している。
【０００６】
【特許文献１】
特開２００１−１３３２７３号公報
【特許文献２】
特開２００１−１６５６７１号公報
【特許文献３】
特開２０００−２５１３９６号公報
【０００７】
【発明が解決しようとする課題】
本発明の課題は、ナビゲーション装置のソフトウェアをバージョンアップするときに、そのナビゲーション装置を使用することができない期間またはナビゲーションの動作が中断される時間を低減させるナビゲーション装置を提供することにある。
本発明の他の課題は、ソフトウェアをバージョンアップするときにナビゲーションの動作が中断される時間を低減させ、かつ、使い勝手を良くするナビゲーション装置を提供することにある。
【０００８】
【課題を解決するための手段】
以下に、［発明の実施の形態］で使用される番号・符号を括弧付きで用いて、課題を解決するための手段を説明する。これらの番号・符号は、［特許請求の範囲］の記載と［発明の実施の形態］の記載との対応を明らかにするために付加されたものであり、［特許請求の範囲］に記載されている発明の技術的範囲の解釈に用いてはならない。
【０００９】
本発明によるナビゲーション装置（１０）は、自動車に搭載され、自動車を目的地まで誘導するときに利用される装置である。ナビゲーション装置（１０）は、第１記録装置（１２）に記録される第１ナビ用ソフトウェア（３１）を実行する第１実行部（４１）と、第２記録装置（１３）に挿入される記録媒体（１９）に記録される第２ナビ用ソフトウェアを実行する第２実行部（４２）と、第１記録装置（１２）に第２ナビ用ソフトウェアを記録するインストール部（４３）と、第２ナビ用ソフトウェアを形成する複数の単位ソフトウェアを第１ナビ用ソフトウェア（３１）に含まれない新規単位ソフトウェアまたは第１ナビ用ソフトウェア（３１）に含まれる旧単位ソフトウェアに判別する判別部（４４）と、表示部（４５）とを備えている。表示部（４５）は、第１実行部（４１）により第１記録装置（１２）に記録された第２ナビ用ソフトウェアを実行するときに、新規単位ソフトウェアに基づく新規情報を新規表示形式で表示装置に表示し、旧単位ソフトウェアに基づく旧情報を新規表示形式と異なる旧表示形式で表示装置に表示することが好ましい。
【００１０】
第１ナビ用ソフトウェア（３１）は、新規単位ソフトウェアに対応する対応単位ソフトウェアを含んでいる。対応ナビ用ソフトウェアの作成日時は、旧単位ソフトウェアの作成日時より後であることが好ましい。
【００１１】
新規単位ソフトウェアは、新規に建設された道路の位置を示すデータを含むことが好ましい。
【００１２】
新規単位ソフトウェアは、目的地まで誘導するときに利用されるときのナビゲーション装置（１０）の動作を示すコンピュータプログラムを含むことが好ましい。このとき、第１記録装置（１２）は、新規単位ソフトウェアに対応する複数の説明情報を更に記録し、表示部（４５）は、新規情報を説明情報とともに表示装置に表示することが好ましい。
【００１３】
新規単位ソフトウェアは、目的地まで誘導するときに利用されるときの当該ナビゲーション装置（１０）の動作を示すコンピュータプログラムを含むことが好ましい。このとき、第１記録装置（１２）は、新規単位ソフトウェアに対応する複数の説明情報を更に記録し、表示部（４５）は、新規情報を説明情報とともに表示装置に表示することが好ましい。
【００１４】
インストール部（４３）は、第２実行部（４２）と並行して動作することが好ましい。このとき、ナビゲーション装置（１０）は、第１ナビ用ソフトウェア（３１）を第２ナビ用ソフトウェアにバージョンアップするときに自動車を目的地まで誘導することができ、ナビゲーションの動作が中断される時間を低減させることができる。
【００１５】
【発明の実施の形態】
図面を参照して、本発明によるナビゲーション装置の実施の形態を説明する。そのナビゲーション装置１０は、図１に示されているように、ナビゲーション装置本体１１、ハードディスク装置１２、ＤＶＤ−ＲＯＭドライブ１３、メモリーカード１４、ナビ用センサ１５、出力装置１６、入力装置１７、無線通信装置１８を備えている。ナビゲーション装置１０は、図示されていない自動車に搭載されている。
【００１６】
ナビゲーション装置本体１１は、ソフトウェアを記録してその記録の保持に電力を必要としない不揮発性記録装置と、ソフトウェアを一時的に記録する揮発性記録装置と、そのソフトウェアを実行する中央演算装置（ＣＰＵ）を備えている情報処理装置（コンピュータ）である。そのソフトウェアは、コンピュータプログラムとそのコンピュータプログラムで用いられるデータとから形成されている。ハードディスク装置１２は、ナビゲーション装置本体１１に着脱可能に設けられている。ハードディスク装置１２は、そのソフトウェアを記憶するための不揮発性記憶装置であり、ナビゲーション装置本体１１の指示によりソフトウェアを記録し、記録されているソフトウェアを出力し、または、削除する。ＤＶＤ−ＲＯＭドライブ１３は、挿入されるＤＶＤ−ＲＯＭ１９に記載されているソフトウェアを読み出してナビゲーション装置本体１１に出力する記録装置である。メモリーカード１４は、ソフトウェアを記憶する記憶装置であり、ナビゲーション装置本体１１の指示によりソフトウェアを記録し、記録されているソフトウェアを出力し、または、削除する。
【００１７】
ナビ用センサ１５は、自動車の位置を測定するための量を計測するセンサであり、ＧＰＳアンテナ、ジャイロが例示される。出力装置１６は、ナビゲーション装置本体１１により生成された情報を自動車の運転者または搭乗者（以下に、「ユーザ」と表記される。）に通知する装置である。出力装置１６としては、液晶ディスプレイ、スピーカが例示される。入力装置１７は、ユーザの操作により情報をナビゲーション装置本体１１に出力する装置である。入力装置１７としては、マイク、キーボード、タッチパネルが例示される。無線通信装置１８は、携帯電話回線網を介してナビゲーション装置本体１１をインターネットに接続するための装置であり、ナビゲーション装置本体１１が出力する情報をインターネットに接続される端末に出力し、インターネットに接続されるサーバが公開する情報をナビゲーション装置本体１１に出力する。
【００１８】
ナビゲーション装置本体１１は、さらに、車内ＬＡＮ２１を介して複数の電子制御ユニット（ＥＣＵ）と複数のセンサに接続されている。そのＥＣＵは、自動車に搭載されている電子制御装置に適用されているコンピュータである。その電子制御装置としては、エンジン電子制御装置、トランスミッション電子制御装置、パワーステアリング電子制御装置、ＡＢＳ電子制御装置、エアバッグ電子制御装置、エアコンディショニング電子制御装置、定速走行電子制御装置が例示される。そのセンサは、車速センサ２２、Ｇセンサ２３、温度計２４、電圧センサ２５、回転センサ２６から形成されている。車速センサ２２は、自動車の車速を測定する。車速センサ２２は、トランスミッション電子制御装置、パワーステアリング電子制御装置、ＡＢＳ電子制御装置、定速走行電子制御装置に利用されている。Ｇセンサ２３は、自動車の加速度を測定する。Ｇセンサ２３は、エアバッグ電子制御装置に利用されている。温度計２４は、自動車の車内の温度を測定する。温度計２４は、エアコンディショニング電子制御装置に利用されている。電圧センサ２５は、自動車に搭載されているバッテリの電圧を測定する。回転センサ２６は、自動車のエンジンの回転数を測定する。回転センサ２６は、エンジン電子制御装置に利用されている。
【００１９】
図２は、ハードディスク装置１２に記録されているデータを示している。そのデータは、ナビ用ソフトウェア群３１、学習データ３２および仮想メモリデータ３３から形成されている。ナビ用ソフトウェア群３１は、自動車を目的地まで誘導することに利用されるソフトウェアの集合であり、ナビゲーション装置１０が搭載されている自動車の位置を測定し、その位置に基づいて自動車が走行する道路を特定し、その位置から目的地まで自動車を誘導するルートを探索し、自動車のユーザにそのルートを通知する。学習データ３２は、ナビ用ソフトウェア群３１により作成されたデータであり、過去に入力された目的地、自動車が過去に走行した軌跡、ユーザの個人情報などを示している。仮想メモリデータ３３は、ナビゲーション装置本体１１に搭載されているオペレーションシステムがハードディスク装置１２を仮想メモリとして使用するときに、記録されるデータである。
【００２０】
ナビ用ソフトウェア群３１は、複数の単位ソフトウェアから形成され、その単位ソフトウェアは、第１ナビプログラム３４、第２ナビプログラム３５およびナビデータ３６に分類されている。第１ナビプログラム３４は、間欠的にまたは周期的に実行されるコンピュータプログラムであり、自動車の位置を測定し、自動車が走行する道路を特定し、その道路をユーザに識別可能に出力装置１６を用いて通知するコンピュータプログラムが例示される。第２ナビプログラム３５は、所定のイベントが発生したときに実行されるコンピュータプログラムであり、ユーザにより入力された目的地まで自動車を誘導するルートを探索し、自動車がそのルートを外れたときに目的地まで自動車を誘導するルートを探索し、自動車が交差点などにさしかかったときに目的地に誘導する案内を自動車のユーザに通知し、ユーザが音声を発声したときに音声に対応する処理を実行するコンピュータプログラムが例示される。ナビデータ３６は、第１ナビプログラム３４、第２ナビプログラム３５に用いられるデータであり、道路の位置を示す地図データを含んでいる。その地図データは、さらに、各道路の路面の状態（たとえば、アスファルト舗装、砂利路、波状路）を示している。ナビデータ３６は、さらに、音声認識のためのデータ、誘導されるルート（地図）を３次元表示するためのデータを含んでいる。
【００２１】
ナビ用ソフトウェア群３１を構成する単位ソフトウェアは、それぞれ作成日時とフラグと対応づけてハードディスク装置１２に記録されている。そのフラグは、単位ソフトウェアをそれぞれ過去にハードディスク装置１２に記録されていた他のナビ用ソフトウェア群に含まれている旧単位ソフトウェアと、含まれていない新規単位ソフトウェアとに識別している。ハードディスク装置１２は、新規単位ソフトウェアがコンピュータプログラムであるときに、その新規単位ソフトウェアの動作を説明する情報を更に記録している。
【００２２】
ＤＶＤ−ＲＯＭ１９は、ナビ用ソフトウェア群を記録している。そのナビ用ソフトウェア群は、ナビ用ソフトウェア群３１が改良されたものであり、ナビ用ソフトウェア群３１と同様に、第１ナビプログラム、第２ナビプログラムおよびナビデータから形成されている。その第１ナビプログラムは、第１ナビプログラム３４が改良されたコンピュータプログラムであり、間欠的にまたは周期的に実行されるコンピュータプログラムである。その第２ナビプログラムは、第２ナビプログラム３５が改良されたコンピュータプログラムであり、所定のイベントが発生したときに実行されるコンピュータプログラムである。そのナビデータは、ナビデータ３６が改良されたデータであり、その第１ナビプログラムまたはその第２ナビプログラムに用いられるデータである。
【００２３】
図３は、ナビゲーション装置本体１１を詳細に示している。ナビゲーション装置本体１１は、コンピュータプログラムであるハードディスク実行部４１、ＤＶＤ−ＲＯＭ実行部４２、判別部４３および消去部４４を備えている。そのコンピュータプログラムは、ナビゲーション装置本体１１が有する不揮発性記録装置に記録されている。
【００２４】
ハードディスク実行部４１は、ハードディスク装置１２に記録されているソフトウェアを起動させる。ＤＶＤ−ＲＯＭ実行部４２は、ＤＶＤ−ＲＯＭ１９に記録されているソフトウェアを起動させる。インストール部４３は、ＤＶＤ−ＲＯＭ１９に記録されているソフトウェアをハードディスク装置１２にコピー（転記、複写を含む。）する。インストール部４３は、ＤＶＤ−ＲＯＭ実行部４２と並行して実行される。判別部４３は、ハードディスク装置１２に記録されているソフトウェアを構成する単位ソフトウェアがハードディスク実行部４１により実行されるときに、その単位ソフトウェアが旧単位ソフトウェアであるか新規単位ソフトウェアであるかを判別する。表示部４５は、単位ソフトウェアがハードディスク実行部４１により実行されるときに、その単位ソフトウェアに関する情報を表示装置に表示する。表示部４５は、さらに、旧単位ソフトウェアに関する情報を表示する色と異なる色を用いて新規単位ソフトウェアに関する情報を表示する。
【００２５】
ナビゲーション装置１０の動作は、自動車を目的地に誘導する動作とナビゲーション装置１０のナビ用ソフトウェア群３１をバージョンアップする動作とを備えている。自動車を目的地に誘導する動作は、ＤＶＤ−ＲＯＭドライブ１３を用いないで、ハードディスク装置１２に記録されているナビ用ソフトウェア群３１を用いて実行される。このとき、ナビゲーション装置１０は、ＤＶＤ−ＲＯＭドライブ１３にナビ用ソフトウェア群が記録されていないＤＶＤ−ＲＯＭが挿入され、自動車を誘導すること以外の動作を並行して実行することができる。このようなＤＶＤ−ＲＯＭとしては、音楽ソフトが例示される。
【００２６】
図６は、ナビ用ソフトウェア群３１をバージョンアップする動作を示している。ユーザは、まず、ナビゲーション装置１０を操作してインストールを開始し、購入されたＤＶＤ−ＲＯＭ１９をＤＶＤ−ＲＯＭドライブ１３に挿入する。ナビゲーション装置１０は、インストールが可能であるかを判断する（ステップＳ１）。たとえば、ナビゲーション装置１０は、ユーザがインストールを開始する操作を正しくしたかどうか、ＤＶＤ−ＲＯＭ１９がＤＶＤ−ＲＯＭドライブ１３に挿入されているかどうかを判別する。
【００２７】
ナビゲーション装置１０は、インストールが不可能であるときに（ステップＳ１；ＮＯ）、インストールしないで、ハードディスク装置１２に記録されているナビ用ソフトウェア群３１を用いてナビゲーションの動作を実行する（ステップＳ２）。ナビゲーション装置１０は、インストールが可能であるときに（ステップＳ１；ＹＥＳ）、ＤＶＤ−ＲＯＭ１９に記録されているナビ用ソフトウェア群を用いてナビゲーションの動作を実行する（ステップＳ３）。
【００２８】
ナビゲーション装置１０は、ハードディスク装置１２を取り外してインストール部４３を用いないでナビ用ソフトウェア群３１をバージョンアップすることができ、または、インストール部４３を用いてハードディスク装置１２を取り外さないでナビ用ソフトウェア群３１をバージョンアップすることができる。
【００２９】
ハードディスク装置１２を取り外してインストール部４３を用いないでナビ用ソフトウェア群３１をバージョンアップする動作は、ステップＳ３を実行中に実行される。すなわち、ナビゲーション装置１０のユーザは、ステップＳ３の実行中に、ハードディスク装置１２を取り外し、そのハードディスク装置１２をソフトウェア販売業者に引き渡す。そのソフトウェア販売業者は、ハードディスク装置１２により新しいソフトウェアを記録して、ユーザに返却する。ユーザは、返却されたハードディスク装置１２をナビゲーション装置本体１１に装着し、ナビゲーション装置１０がそのハードディスク装置１２を用いて動作するようにナビゲーション装置１０を操作する。
【００３０】
インストール部４３を用いてハードディスク装置１２を取り外さないでナビ用ソフトウェア群３１をバージョンアップする動作は、ステップＳ３を実行中に実行される。すなわち、ナビゲーション装置１０は、ＤＶＤ−ＲＯＭ１９に記録されているソフトウェアをハードディスク装置１２にコピーしながら、ＤＶＤ−ＲＯＭ１９に記録されているナビ用ソフトウェア群を用いてナビゲーションの動作を実行する。すなわち、ナビゲーション装置１０は、ナビゲーションの動作の空き時間に、ＤＶＤ−ＲＯＭ１９に記録されているソフトウェアを所定の単位でハードディスク装置１２にコピーする。その単位としては、ナビゲーション装置１０が実行する一連の動作を示すコンピュータプログラム、１つの建造物・道路の位置を示すデータが例示される。または、ナビゲーション装置１０は、ナビゲーションの動作とインストールする動作とを時分割して並行して実行する。ナビゲーション装置１０は、インストールが完了した後に、ハードディスク装置１２に記録されているナビ用ソフトウェア群３１を用いて自動車を目的地に誘導するナビゲーション動作を実行する。
【００３１】
従来、ナビゲーション装置のバージョンアップは、ハードディスク装置を取り外して、そのハードディスク装置に新しいバージョンのナビ用ソフトウェアをインストールすることにより実行されている。そのナビゲーション装置は、ハードディスク装置を取り外しているときに、ナビゲーションの動作を実行することができない。または、ナビゲーション装置のバージョンアップは、ナビゲーションの動作を停止して、ＤＶＤ−ＲＯＭから新しいバージョンのナビ用ソフトウェアをハードディスク装置にインストールすることにより実行されている。ナビゲーション装置１０は、このようなインストールより、ソフトウェアをバージョンアップするときにナビゲーションの動作が中断される時間を低減させることができる。
【００３２】
ＤＶＤ−ＲＯＭのみを用いてナビゲーションの動作するナビゲーション装置は、ＤＶＤ−ＲＯＭを新しいＤＶＤ−ＲＯＭに交換することにより、ソフトウェアをバージョンアップすることができる。ハードディスク装置は、一般的に、ＤＶＤ−ＲＯＭよりデータを読み出す速さが速い。ナビゲーション装置１０は、このようなナビゲーション装置より、動作が速く好ましい。
【００３３】
図５は、ＤＶＤ−ＲＯＭからハードディスク装置１２に１つの単位ソフトウェアをコピーするときの動作を示している。ナビゲーション装置１０は、その単位ソフトウェアに対応するハードディスク装置１２に記録されている単位ソフトウェアを検索する。ナビゲーション装置１０は、さらに、コピーする単位ソフトウェアと検索された単位ソフトウェアの作成日時を比較する（ステップＳ１１）。ナビゲーション装置１０は、コピーする単位ソフトウェアが検索された単位ソフトウェアより作成日時が以前であるときに（ステップＳ１１；ＮＯ）、そのコピーする単位ソフトウェアにフラグを立てないでハードディスク装置１２に記録する（ステップＳ１４）。ナビゲーション装置１０は、対応する単位ソフトウェアが発見されないときに、または、コピーする単位ソフトウェアが検索された単位ソフトウェアより作成日時が後であるときに（ステップＳ１１；ＹＥＳ）、そのコピーする単位ソフトウェアにフラグを立ててハードディスク装置１２に記録する（ステップＳ１３）。
【００３４】
この動作は、ユーザから預かったハードディスク装置１２をバージョンアップするソフトウェア販売業者により実行されることもできる。ソフトウェア販売業者は、図５のフローチャートと同様にして、新しいバージョンのナビ用ソフトウェアを単位ソフトウェア毎にハードディスク装置１２にコピーする。
【００３５】
図６は、バージョンアップされたハードディスク装置１２に記録されている１つの単位ソフトウェアを実行するときのナビゲーション装置１０の動作を示している。その単位ソフトウェアによる動作としては、１つの建造物・道路の位置を表示する動作、ナビゲーション装置１０が実行する複数の機能を選択するためのメニュー画面を表示する動作が例示される。ナビゲーション装置１０は、その単位ソフトウェアに対応するフラグが立っているかどうかを判別する（ステップＳ２１）。
【００３６】
ナビゲーション装置１０は、フラグが立っていないときに（ステップＳ２１；ＮＯ）、バージョンアップされる前と同様に情報を表示装置に表示する。ナビゲーション装置１０は、フラグが立っているときに（ステップＳ２１；ＹＥＳ）、その単位ソフトウェアをバージョンアップされる前と異なる表示形態で情報を表示装置に表示する。たとえば、ナビゲーション装置１０は、複数の機能を選択するためのメニュー画面を表示ときに、フラグが立っているコンピュータプログラムに対応するメニューをその機能の説明とともに表示する。ナビゲーション装置１０は、建造物・道路の位置を表示するときに、フラグが立っている建造物・道路とフラグが立っていない建造物・道路とを色を違えて表示する。
【００３７】
ナビゲーション装置１０は、バージョンアップにより変更された部分をユーザに識別可能に通知することができる。この結果、ナビゲーション装置１０は、ユーザにとって使い勝手が良くなる。
【００３８】
【発明の効果】
本発明によるナビゲーション装置は、ソフトウェアをバージョンアップするときに、ナビゲーション装置を使用することができない期間を低減させることができ、または、ナビゲーションの動作が中断される時間を低減させ、かつ、使い勝手を良くすることができる。
【図面の簡単な説明】
【図１】図１は、本発明によるナビゲーション装置の実施の形態を示すブロック図である。
【図２】図２は、ハードディスク装置に記録されているデータを概念的に示すブロック図である。
【図３】図３は、ナビゲーション装置本体を示すブロック図である。
【図４】図４は、ナビ用ソフトウェアをバージョンアップするときの動作の実施の形態を示すフローチャートである。
【図５】図５は、ハードディスク装置に１つのソフトウェアをコピーするときの動作の実施の形態を示すフローチャートである。
【図６】図６は、１つの処理を実行するときの動作を示すフローチャートである。
【符号の説明】
１０：ナビゲーション装置
１１：ナビゲーション装置本体
１２：ハードディスク装置
１３：ＤＶＤ−ＲＯＭドライブ
１４：メモリーカード
１５：ナビ用センサ
１６：出力装置
１７：入力装置
１８：無線通信装置
１９：ＤＶＤ−ＲＯＭ
２１：車内ＬＡＮ
２２：車速センサ
２３：Ｇセンサ
２４：温度計
３１：ナビ用ソフトウェア
３２：学習データ
３３：仮想メモリデータ
３４：第１ナビプログラム
３５：第２ナビプログラム
３６：ナビデータ
４１：ハードディスク実行部
４２：ＤＶＤ−ＲＯＭ実行部
４３：インストール部
４４：判別部
４５：表示部
【図１】
2004150866.tif 000003
【図２】
2004150866.tif 000004
【図３】
2004150866.tif 000005
【図４】
2004150866.tif 000006
【図５】
2004150866.tif 000007
【図６】
2004150866.tif 000008